(57)【要約】【課題】必要とされるデータ記録容量を低減することができるとともに、ハイライトシーンの撮影機会を逃すことを抑制することができる。【解決手段】記録装置（１００）は、ユーザの入力を受け付け可能な受付手段（１１）と、撮影手段（２１）から逐次出力される撮影データを、一時記憶メモリ（２２）に記憶する記憶手段（１２）と、受付手段により録画指示が受け付けられたときに、録画指示が受け付けられた第１時点の所定時間前から、第１時点までの撮影データである第１データを一時記憶メモリから抽出して保存する保存手段（１３）と、を備える。【選択図】図１
2020108003.tif 000002
【特許請求の範囲】
【請求項１】
ユーザの入力を受け付け可能な受付手段と、
撮影手段から逐次出力される撮影データを、一時記憶メモリに記憶する記憶手段と、
前記受付手段により前記入力としての録画指示が受け付けられたときに、前記録画指示が受け付けられた第１時点の所定時間前から、前記第１時点までの前記撮影データである第１データを前記一時記憶メモリから抽出して保存する保存手段と、
を備えることを特徴とする記録装置。
【請求項２】
前記保存手段は、前記第１時点から、前記録画指示の受け付けが終了した第２時点までに、前記一時記憶メモリに記憶された前記撮影データである第２データを、前記第１データと併せて保存することを特徴とする請求項１に記載の記録装置。
【請求項３】
前記保存手段は、前記抽出された第１データを、ネットワーク上の装置に保存することを特徴とする請求項１又は２に記載の記録装置。
【請求項４】
撮影手段から逐次出力される撮影データを、一時記憶メモリに記憶する記憶工程と、
ユーザの入力を受け付け可能な受付手段により前記入力としての録画指示が受け付けられたときに、前記録画指示が受け付けられた第１時点の所定時間前から、前記第１時点までの前記撮影データである第１データを前記一時記憶メモリから抽出して保存する保存工程と、
を含むことを特徴とする記録方法。
【請求項５】
前記保存工程は、前記第１時点から、前記録画指示の受け付けが終了した第２時点までに、前記一時記憶メモリに記憶された前記撮影データである第２データを、前記第１データと併せて保存することを特徴とする請求項４に記載の記録方法。
【請求項６】
前記保存工程は、前記抽出された第１データを、ネットワーク上の装置に保存することを特徴とする請求項４又は５に記載の記録方法。
【請求項７】
撮影手段及び一時記憶メモリを備えるコンピュータを、
ユーザの入力を受け付け可能な受付手段と、
前記撮影手段から逐次出力される撮影データを、前記一時記憶メモリに記憶する記憶手段と、
前記受付手段により前記入力としての録画指示が受け付けられたときに、前記録画指示が受け付けられた第１時点の所定時間前から、前記第１時点までの前記撮影データである第１データを前記一時記憶メモリから抽出して保存する保存手段と、
として機能させることを特徴とするコンピュータプログラム。
【請求項８】
前記保存手段は、前記第１時点から、前記録画指示の受け付けが終了した第２時点までに、前記一時記憶メモリに記憶された前記撮影データである第２データを、前記第１データと併せて保存することを特徴とする請求項７に記載のコンピュータプログラム。
【請求項９】
前記保存手段は、前記抽出された第１データを、ネットワーク上の装置に保存することを特徴とする請求項７又は８に記載のコンピュータプログラム。
【発明の詳細な説明】
【技術分野】
【０００１】
本発明は、記録装置、記録方法及びコンピュータプログラムの技術分野に関する。
【背景技術】
【０００２】
この種の装置として、例えばカメラ付きの携帯端末（スマートフォン、タブレット端末等）が知られている。該携帯端末で撮影（録画）が行われる場合は、録画開始を示す入力があってから録画終了を示す入力があるまでの期間に撮影された動画データが保存（録画）される。その他関連する技術として、特許文献１及び２が挙げられる。
【先行技術文献】
【特許文献】
【０００３】
【特許文献１】特開２００４−１５３７９１号公報
【特許文献２】特開２００４−１５３７９３号公報
【発明の概要】
【発明が解決しようとする課題】
【０００４】
上記携帯端末は、特に屋外でのイベント（例えばスポーツの試合、パレード等）での手軽な撮影手段として重宝されている。ところで、イベントでは、ハイライトシーンに相当する状況が生じるタイミングを予め知ることが困難である。このため、比較的長い時間撮影（録画）し、撮影後にハイライトシーンを抽出する処理（編集）が行われることが多い。動画データは撮影時間に比例してそのデータ量が大きくなる。上記携帯端末を、データ量の比較的大きな動画データを保存可能に（言い換えれば、比較的長時間の撮影を可能に）構成すると、携帯端末のコストが高くなってしまう。しかしながら、保存可能なデータ量が少なければ（言い換えれば、撮影可能時間が比較的短ければ）、ハイライトシーンの撮影機会を逃してしまう可能性がある。
【０００５】
本発明は、例えば上記問題点に鑑みてなされたものであり、必要とされるデータ記録容量を低減することができるとともに、ハイライトシーンの撮影機会を逃すことを抑制することができる記録装置、記録方法及びコンピュータプログラムを提供することを課題とする。
【課題を解決するための手段】
【０００６】
＜記録装置＞
本発明の記録装置は、上記課題を解決するために、ユーザの入力を受け付け可能な受付手段と、撮影手段から逐次出力される撮影データを、一時記憶メモリに記憶する記憶手段と、前記受付手段により前記入力としての録画指示が受け付けられたときに、前記録画指示が受け付けられた第１時点の所定時間前から、前記第１時点までの前記撮影データである第１データを前記一時記憶メモリから抽出して保存する保存手段と、を備える。
【０００７】
記憶手段は、撮影データを一時記憶メモリに記憶する。記憶手段は、新たな撮影データを一時記憶メモリに記憶するときに、一時記憶メモリの記憶容量が不足している場合、典型的には、既に記憶されている撮影データのうち最も古い撮影データを新しい撮影データで置き換える（即ち、上書きする）。
【０００８】
「撮影データ」には、画像データに加えて、音声データが含まれていてよい。「一時記憶メモリ」は、ＲＡＭ（Ｒａｎｄｏｍ  Ａｃｃｅｓｓ  Ｍｅｍｏｒｙ）に限定されず、例えばハードディスクドライブやＳＳＤ（Ｓｏｌｉｄ  Ｓｔａｔｅ  Ｄｒｉｖｅ）等、撮影データを一時的に記憶可能なものであればよい。
【０００９】
保存手段は、受付手段により録画指示が受け付けられたときに、録画指示が受け付けられた第１時点の所定時間前から、第１時点までの撮影データである第１データを一時記憶メモリから抽出して保存する。
【００１０】
「所定時間」は、例えば数秒から数分等であり、一時記憶メモリの最大記憶容量及び撮影データの単位時間当たりのデータ量に応じて決定される値である。「一時記憶メモリの最大記憶容量」は、物理メモリの最大記憶容量に限らず、撮影データを一時的に記憶するために予め割り当てられている予約メモリの最大記憶容量であってよい。
【００１１】
「保存する」とは、ユーザからの削除指示がない限り消去されない（言い換えれば、自動的に消去されない）態様で記録することを意味する。第１データは、当該記録装置に保存されてもよいし、当該記録装置とは異なる装置に保存されてもよい。
【００１２】
当該記録装置では、ユーザの録画指示が受け付けられた第１時点の所定時間前から、該第１時点までの撮影データである第１データが、一時記憶メモリから抽出され保存される。つまり、当該記録装置では、ユーザの録画指示が受け付けられた第１時点以前の所定時間分の撮影データが第１データとして保存される。
【００１３】
このため、当該記録装置によれば、ユーザがハイライトシーンであると判断した後に（言い換えれば、ハイライトシーンが終了した後に）録画指示をすることによって、ハイライトシーンに相当する撮影データを保存することができる。加えて、当該記録装置によれば、撮影データ全てを保存する必要がないため、撮影データ全てを一旦保存した後、編集によりハイライトシーンに相当する撮影データが抽出される比較例に係る記録装置に比べて、データ容量を低減することができる。従って、当該記録装置によれば、必要とされるデータ記録容量を低減することができるとともに、ハイライトシーンの撮影機会を逃すことを抑制することができる。
【００１４】
本発明の記録装置の一態様では、前記保存手段は、前記第１時点から、前記録画指示の受け付けが終了した第２時点までに、前記一時記憶メモリに記憶された前記撮影データである第２データを、前記第１データと併せて保存する。この態様では、入力手段により録画指示が受け付けられている期間（即ち、第１時点から第２時点までの期間）の撮影データである第２データが、第１データと併せて保存される。この態様によれば、ユーザはハイライトシーンであると判断した後、ハイライトシーンに相当する状況の終了を待って録画指示をする必要がなく、実用上非常に有利である。加えて、この態様によれば、ハイライトシーンに相当する状況が、第１データの撮影（録画）時間に相当する所定時間を超える場合であっても、ハイライトシーンを適切に撮影することができる。
【００１５】
本発明の記録装置の他の態様では、前記保存手段は、前記抽出された第１データを、ネットワーク上の装置に保存する。この態様によれば、当該記録装置に係るデータ記録容量を好適に低減することができる。尚、「ネットワーク上の装置」としては、例えばサーバ装置、ネットワークハードディスク等が挙げられる。
【００１６】
＜記録方法＞
本発明の記録方法は、上記課題を解決するために、撮影手段から逐次出力される撮影データを、一時記憶メモリに記憶する記憶工程と、ユーザの入力を受け付け可能な受付手段により前記入力としての録画指示が受け付けられたときに、前記録画指示が受け付けられた第１時点の所定時間前から、前記第１時点までの前記撮影データである第１データを前記一時記憶メモリから抽出して保存する保存工程と、を含む。
【００１７】
本発明の記録方法によれば、上述した本発明の記録装置と同様に、必要とされるデータ記録容量を低減することができるとともに、ハイライトシーンの撮影機会を逃すことを抑制することができる。本発明の記録方法についても、上述した本発明の記録装置に係る各種態様と同様の態様を採ることができる。
【００１８】
＜コンピュータプログラム＞
本発明のコンピュータプログラムは、上記課題を解決するために、撮影手段及び一時記憶メモリを備えるコンピュータを、ユーザの入力を受け付け可能な受付手段と、前記撮影手段から逐次出力される撮影データを、前記一時記憶メモリに記憶する記憶手段と、前記受付手段により前記入力としての録画指示が受け付けられたときに、前記録画指示が受け付けられた第１時点の所定時間前から、前記第１時点までの前記撮影データである第１データを前記一時記憶メモリから抽出して保存する保存手段と、として機能させる。
【００１９】
本発明のコンピュータプログラムによれば、当該コンピュータプログラムを格納するＲＡＭ、ＣＤ−ＲＯＭ（Ｃｏｍｐａｃｔ  Ｄｉｓｃ  Ｒｅａｄ  Ｏｎｌｙ  Ｍｅｍｏｒｙ）等の光ディスク、ＵＳＢ（Ｕｎｉｖｅｒｓａｌ  Ｓｅｒｉａｌ  Ｂｕｓ）メモリ、等の記録媒体から、当該コンピュータプログラムを、コンピュータに読み込んで実行させれば、或いは、当該コンピュータプログラムを、通信手段を介してダウンロードさせた後に実行させれば、上述した本発明の記録装置を比較的容易にして実現できる。これにより、上述した本発明の記録装置と同様に、必要とされるデータ記録容量を低減することができるとともに、ハイライトシーンの撮影機会を逃すことを抑制することができる。本発明のコンピュータプログラムについても、上述した本発明の記録装置に係る各種態様と同様の態様を採ることができる。
【００２０】
本発明の作用及び他の利得は次に説明する実施するための形態から明らかにされる。
【図面の簡単な説明】
【００２１】
【図１】第１実施形態に係る記録装置の構成を示すブロック図である。
【図２】第１実施形態に係る記録装置の動作を示すフローチャートである。
【図３】第１実施形態に係る記録装置の動作概念を示す図である。
【図４】変形例に係る記録装置の構成を示すブロック図である。
【図５】第２実施形態に係る記録装置の動作を示すフローチャートである。
【図６】実施形態に係るコンピュータの構成を示すブロック図である。
【発明を実施するための形態】
【００２２】
＜記録装置＞
記録装置に係る実施形態を図面に基づいて説明する。
【００２３】
＜第１実施形態＞
記録装置に係る第１実施形態について図１乃至図３を参照して説明する。
【００２４】
（構成）
第１実施形態に係る記録装置の構成について図１を参照して説明する。図１は、第１実施形態に係る記録装置の構成を示すブロック図である。
【００２５】
図１において、記録装置１００は、入力部１１、記憶部１２、保存部１３、カメラ２１、バッファメモリ２２及びストレージ２３を備えて構成されている。
【００２６】
カメラ２１は、当該記録装置１００の電源がＯＮになったときから、又は、カメラ２１による撮影機能が有効にされたときから、撮影データを逐次出力する。カメラ２１は、撮像素子に加えて、マイクロフォンを有していてよい。つまり、カメラ２１から出力される撮影データは、画像データに加えて、音声データを含んでいてよい。尚、カメラ２１、バッファメモリ２２及びストレージ２３については、既存の各種態様を適用可能であるので、その詳細な説明は省略する。
【００２７】
入力部１１は、当該記録装置１００のユーザの入力を受け付け可能に構成されている。本実施形態では特に、入力部１１は、ユーザの録画指示を示す入力を受け付け可能に構成されている。入力部１１の具体例としては、タッチパネル、ボタン、スイッチ等が挙げられる。
【００２８】
記憶部１２は、カメラ２１から逐次出力される撮影データを、バッファメモリ２２に記憶する。記憶部１２は、新たな撮影データをバッファメモリ２２に記憶するときに、バッファメモリ２２の記憶容量が不足している場合、典型的には、既に記憶されている撮影データのうち最も古い撮影データを新しい撮影データで置き換える（即ち、上書きする）。従って、バッファメモリ２２は、いわゆるリングバッファとして使用される。
【００２９】
保存部１３は、入力部１１により録画指示が受け付けられたときに、該録画指示が受け付けられた第１時点の所定時間前から、第１時点までの撮影データをバッファメモリ２２から抽出して、該抽出された撮影データをストレージ２３に保存する。
【００３０】
（動作）
次に、記録装置１００の動作について、図１に加えて、図２のフローチャートを参照して説明する。
【００３１】
図２において、記憶部１２は、カメラ２１から逐次出力される撮影データを、バッファメモリ２２に記憶する（ステップＳ１０１）。次に、記憶部１２は、カメラ２１がＯＦＦになったか否かを判定する（ステップＳ１０２）。ここで、カメラ２１が、当該記録装置１００の電源がＯＮになったときから撮影データを逐次出力するように構成されている場合、記憶部１２は、当該記録装置１００の電源がＯＦＦになったときに、カメラ２１がＯＦＦになったと判定する。或いは、カメラ２１が、その撮影機能が有効にされたときから、撮影データを逐次出力するように構成されている場合、記憶部１２は、カメラ２１の撮影機能が無効にされたときに、カメラ２１がＯＦＦになったと判定する。
【００３２】
ステップＳ１０２の処理において、カメラ２１がＯＦＦになったと判定された場合（ステップＳ１０２：Ｙｅｓ）、記憶部１２は、図２に示す動作を終了する。他方、ステップＳ１０２の処理において、カメラ２１がＯＦＦになっていないと判定された場合（ステップＳ１０２：Ｎｏ）、記憶部１２は、ステップＳ１０１の処理を行う。
【００３３】
図２において、保存部１３は、録画指示があったか否か（即ち、入力部１１により録画指示が受け付けられたか否か）を判定する（ステップＳ２０１）。ステップＳ２０１の処理において、録画指示がないと判定された場合（ステップＳ２０１：Ｎｏ）、保存部１３は、ステップＳ２０１の処理を行う。つまり、保存部１３は、録画指示があるまで待機状態となる。
【００３４】
ステップＳ２０１の処理において、録画指示があったと判定された場合（ステップＳ２０１：Ｙｅｓ）、保存部１３は、入力部１１により録画指示が受け付けられた第１時点の所定時間前から、第１時点までの撮影データをバッファメモリ２２から抽出する（ステップＳ２０２）。言い換えれば、保存部１３は、第１時点以前の所定時間分の撮影データをバッファメモリ２２から抽出する。その後、保存部１３は、抽出された撮影データを、ストレージ２３に保存する（ステップＳ２０３）。
【００３５】
保存部１３の動作について図３を参照して説明を加える。図３は、第１実施形態に係る記録装置の動作概念を示す図である。ここでは、サッカーの試合の撮影に、当該記録装置１００が用いられているものとする。また、図３の時刻ｔ１から時刻ｔ３までの時間が、上記所定時間に相当するものとする。
【００３６】
サッカーの試合において、一方のチームの選手がボールを持っており、他方のチームのゴールに迫っている状況において、時刻ｔ１の後、ボールを持っている選手が、他方のチームの選手（ここでは、ディフェンダ）を、ドリブルでかわした後、シュートを決めたものとする。
【００３７】
当該記録装置１００のユーザが、シュートが決まった後の時刻ｔ３に、入力部１１に対して録画指示を行うと、保存部１３は、時刻ｔ１から時刻ｔ３までの間にバッファメモリ２２に記憶された撮影データを、該バッファメモリ２２から抽出して、該抽出された撮影データをストレージ２３に保存する。この結果、一方のチームのボールを持った選手が、他方のチームの選手と対決する場面から、一方のチームのボールを持った選手がシュートを決めた場面までが含まれる撮影データがストレージ２３に保存されることとなる。
【００３８】
（技術的効果）
当該記録装置１００では、録画指示が受け付けられた第１時点（図３に示す例では、時刻ｔ３）の所定時間前（図３に示す例では、時刻ｔ１）から、該第１時点までの撮影データが（即ち、録画指示が受け付けられた第１時点以前の所定時間分の撮影データが）、バッファメモリ２２から抽出され、ストレージ２３に保存される。このため、当該記録装置１００によれば、ユーザがハイライトシーンであると判断した後に録画指示をすることによって、ハイライトシーンに相当する撮影データを保存することができる。加えて、当該記録装置１００によれば、撮影データ全てをストレージ２３に保存する必要がないため、ストレージ２３の記録容量を低減することができる。
【００３９】
本実施形態に係る「入力部１１」、「記憶部１２」、「保存部１３」、「カメラ２１」及び「バッファメモリ２２」は、夫々、本発明に係る「受付手段」、「記憶手段」、「保存手段」、「撮影手段」及び「一時記憶メモリ」の一例に相当する。本実施形態において、図３の時刻ｔ３は、本発明に係る「第１時点」の一例に相当する。
【００４０】
＜変形例＞
上述した実施形態では、保存部１３は、バッファメモリ２２から抽出した撮影データを、記録装置１００が備えるストレージ２３に保存している。しかしながら、保存部１３は、バッファメモリ２２から抽出した撮影データを、例えばインターネット等のネットワークを介してサーバ２００（図４参照）に保存してよい。
【００４１】
この場合、保存部１３は、当該記録装置１００がネットワークに接続できないときは、バッファメモリ２２から抽出した撮影データをストレージ２３に一旦保存し、当該記録装置１００がネットワークに接続された後に、ストレージ２３に一旦保存した撮影データを、ネットワークを介してサーバ２００に保存してもよい。
【００４２】
このように構成すれば、比較的データ量の大きい撮影データを当該記録装置１００のストレージ２３に保存する必要がないので、該ストレージ２３の記録容量をより低減することができる。
【００４３】
＜第２実施形態＞
記録装置に係る第２実施形態について図５を参照して説明する。第２実施形態では、保存部１３の動作が一部異なる以外は、上述した第１実施形態と同じである。従って、第２実施形態について、第１実施形態と重複する説明を省略するとともに、図面上における共通箇所には同一の符号を付して示し、基本的に異なる点について、図５を参照して説明する。
【００４４】
（動作）
図５のステップＳ２０１の処理において、録画指示があったと判定された場合（ステップＳ２０１：Ｙｅｓ）、保存部１３は、ステップＳ２０２の処理と並行して、録画指示が継続されているか否かを判定する（ステップＳ３０１）。例えば、一のボタンが押下されることで、入力部１１により録画指示が受け付けられ、該一のボタンとは異なる他のボタンが押下されることで、入力部１１により録画指示の解除が受け付けられる構成の場合、保存部１３は、上記一のボタンが押下された後、上記他のボタンが押下されない限り、録画指示が継続していると判定する。例えば、一のボタンが押下されているときに、入力部１１により録画指示が受け付けられ、該一のボタンの押下が中止されると、録画指示の入力が中止される（即ち、入力部１１への録画指示の入力が中止される）構成の場合、保存部１３は、入力部１１により録画指示が受け付けられている限り、録画指示が継続していると判定する。
【００４５】
ステップＳ３０１の処理において、録画指示が継続していると判定された場合（ステップＳ３０１：Ｙｅｓ）、保存部１３は、入力部１１により録画指示が受け付けられた第１時点以後の撮影データをバッファメモリ２２から抽出する。その後、ステップＳ３０１の処理が再度行われる。
【００４６】
ステップＳ３０１の処理において、録画指示が継続していないと判定された場合（ステップＳ３０１：Ｎｏ）、ステップＳ２０３の処理が行われる。ステップＳ３０１の処理において、一度も「録画指示が継続している」と判定されることなく、ステップＳ２０３の処理が行われる場合、上述した第１実施形態と同様に、入力部１１により録画指示が受け付けられた第１時点の所定時間前から、第１時点までの撮影データがバッファメモリ２２から抽出され、ストレージ２３に保存される。
【００４７】
上述したステップＳ３０２の処理について図３を参照して説明を加える。ここでは、図３の時刻ｔ２が、上述の第１時点に相当するものとする。また、時刻ｔ１から時刻ｔ２までの時間が、上述の所定時間に相当するものとする。
【００４８】
当該記録装置１００のユーザが、一方のチームのボールを持った選手が、他方のチームの選手をドリブルでかわした後の時刻ｔ２に、入力部１１に対して録画指示を行い、その後時刻ｔ３まで録画指示が継続されたものとする。この場合、保存部１３は、上述したステップＳ２０２の処理において、時刻ｔ１から時刻ｔ２までの間にバッファメモリ２２に記憶された撮影データを抽出するとともに、上述したステップＳ３０２の処理において、時刻ｔ２から時刻ｔ３までの間にバッファメモリ２２に記憶された撮影データを逐次抽出する。そして、保存部１３は、ステップＳ２０２の処理において抽出された撮影データと、ステップＳ３０２の処理において抽出された撮影データとを併せて、ストレージ２３に保存する。
【００４９】
本実施形態において、図３の時刻ｔ２は、本発明に係る「第１時点」の他の例に相当し、図３の時刻ｔ３は、本発明に係る「第２時点」の一例に相当する。
【００５０】
＜コンピュータプログラム＞
コンピュータプログラムに係る実施形態について図６を参照して説明する。図６は、実施形態に係るコンピュータの構成を示すブロック図である。
【００５１】
図６において、コンピュータ５０は、入力部１１、カメラ２１、ＣＰＵ（Ｃｅｎｔｒａｌ  Ｐｒｏｃｅｓｓｉｎｇ  Ｕｎｉｔ）５１、ＲＡＭ５２及びＨＤＤ（Ｈａｒｄ  Ｄｉｓｋ  Ｄｒｉｖｅ）５３を備えて構成されている。ＣＰＵ５１、ＲＡＭ５２及びＨＤＤ５３は、バス５４により相互に接続されている。ＲＡＭ５２により、上述した第１及び第２実施形態に係るバッファメモリ２２が構成されている。ＨＤＤ５３には、本実施形態に係るコンピュータプログラム５３１が予め格納されている。また、ＨＤＤ５３により、上述した第１及び第２実施形態に係るストレージ２３が構成されている。
【００５２】
コンピュータプログラム５３１によるＣＰＵ５１の処理について説明する。ＣＰＵ５１は、カメラ２１から逐次出力される撮影データを、バッファメモリ２２としてのＲＡＭ５２に記憶する。
【００５３】
ＣＰＵ５１は、入力部１１により録画指示が受け付けられたか否かを判定する。入力部１１により録画指示が受け付けられたと判定された場合、ＣＰＵ５１は、入力部１１により録画指示が受け付けられた第１時点の所定時間前から、第１時点までの撮影データをＲＡＭ５２から抽出し、該抽出された撮影データを、ストレージ２３としてのＨＤＤ５３に保存する。
【００５４】
尚、ＣＰＵ５１は、入力部１１により録画指示が受け付けられていないと判定された場合、カメラ２１から逐次出力される撮影データをＲＡＭ５２に記憶しつつ、入力部１１により録画指示が受け付けられたか否かの判定を再度行う。
【００５５】
（技術的効果）
コンピュータプログラム５３１によれば、上述した記録装置１００と同様に、ユーザがハイライトシーンであると判断した後に録画指示をすることによって、ハイライトシーンに相当する撮影データを保存することができる。加えて、撮影データ全てをストレージ２３としてのＨＤＤ５３に保存する必要がないため、ＨＤＤ５３の記録容量を低減することができる。つまり、コンピュータプログラム５３１によれば、上述した記録装置１００を比較的容易に実現することができる。
【００５６】
本発明は、上述した実施形態に限られるものではなく、特許請求の範囲及び明細書全体から読み取れる発明の要旨或いは思想に反しない範囲で適宜変更可能であり、そのような変更を伴う記録装置、記録方法及びコンピュータプログラムもまた本発明の技術的範囲に含まれるものである。
【符号の説明】
【００５７】
１１…入力部、１２…記憶部、１３…保存部、２１…カメラ、２２…バッファメモリ、２３…ストレージ、５０…コンピュータ、５１…ＣＰＵ、５２…ＲＡＭ、５３…ＨＤＤ、５４…バス、１００…記録装置、２００…サーバ、５３１…コンピュータプログラム
【図１】
2020108003.tif 000003
【図２】
2020108003.tif 000004
【図３】
2020108003.tif 000005
【図４】
2020108003.tif 000006
【図５】
2020108003.tif 000007
【図６】
2020108003.tif 000008